(57)【特許請求の範囲】
【請求項１】
本体と、前記本体に回転自在に支承され、開位置と閉位置との間を回動自在なカバー部材とを含み、
前記カバー部材が前記閉位置に回動したときに、前記本体と前記カバー部材との間には外部よりカートリッジの挿入を許容する開口が形成されるようになっており、
更に前記カバー部材は、前記開位置へと回動する際に、前記本体と前記カバー部材との間に挿入されたカートリッジを保持し、一体的に回動させるカートリッジ保持部を左右両側に形成しているカートリッジ用収納ケースであって、
前記カバー部材が前記閉位置に回動したときに、前記カートリッジ保持部の下端が前記本体の内面に設けられた凹部に入り込むとともに、その上端が前記本体の内面よりも突出するように構成したことを特徴とするカートリッジ用収納ケース。
【請求項２】
前記カートリッジ保持部の前記開口側の端部に、カートリッジを挿入し易くするカートリッジ導入部を形成している請求項１記載のカートリッジ用収納ケース。
【請求項３】
前記カートリッジ導入部が斜面状またはステップ状に形成され、これらの斜面部またはステップ部の前記開口側の前端は、前記カバー部材が前記閉位置に回動したときに前記本体の内面よりも低くなるように構成されている請求項２記載のカートリッジ用収納ケース。
【請求項４】
前記カートリッジを保持したときそのカートリッジの側面と対抗する前記カバー部材の面の隅部に前記カートリッジの位置決めを行う凸部を設けた請求項１，２または３記載のカートリッジ用収納ケース。
【請求項５】
前記カバー部材が前記開位置と前記閉位置との間で回動する際に、前記本体が前記カバー部材と当接する突出部を前記本体に形成した請求項１，２，３または４記載のカートリッジ用収納ケース。
【請求項６】
前記カートリッジが挿入されたときそのカートリッジの側面に設けられた凹部に係合する凸部と、前記カートリッジ保持部とが、前記カバー部材の異なる位置に配置された請求項１〜５いずれか記載のカートリッジ用収納ケース。
【発明の詳細な説明】
【０００１】
【発明の属する技術分野】
本発明は、カートリッジ用の収納ケースに関し、特に光ディスクや光磁気ディスク等の記録媒体を収納したカートリッジ用の収納ケースに関する。
【０００２】
【従来の技術】
近年において、音楽録音やデータストレージ等の用途に用いられようになったミニディスクは、記録媒体であるディスク部を樹脂製のカートリッジ内に格納している。図１２，図１３，及び図１８（ａ）は、かかるミニディスクＭの一例を示す図であり、図１２はその上面図、図１３はその下面図、図１８（ａ）はその斜視図である。円盤状のディスク部Ｄは、薄いボックス状のカートリッジＣにより保護されている。また、ミニディスクＭは、記録・再生装置の受け入れスロット（不図示）に対する挿入方向が定まっており、かかる挿入方向は、図１２においては上方であり、図１３においては下方であり、図１８（ａ）においては図示の矢印方向（斜め下方）である。図１３中、カートリッジＣの下端近傍に形成された凹部Ｃ１，Ｃ２に、記録・再生装置の爪部（不図示）が係合して、ミニディスクＭを装置内部へと搬送するようになっている。また、図１８（ａ）に示すように、カートリッジＣにはシャッタ部材９０が設けられ、その側面部９１の開口９１ａに記録・再生装置側から駆動部材（不図示）が係合して図の方向ｔ、ｔ’にスライド可能となっており、記録・再生時には方向ｔ’に移動してディスク部Ｄにおいて書き込みまたは読み取りが行われる。
【０００３】
【発明が解決しようとする課題】
ところで、ミニディスクＭに音楽や情報を記録した場合、記録した曲名や内容を記載したインデックスカードをミニディスクＭに付帯させることが一般的に行われている。そのようにして記載されたインデックスカードは、ミニディスクＭと共に保存される。
【０００４】
しかしながら、ミニディスクＭは収納ケースに収納されて保存されることが多いため、カートリッジＣにインデックスカードが貼り付けられると、収納ケースに対して出し入れされる際にその記載部分が擦れ、あるいは汚れてしまい、長期間の使用によりその記載が不明瞭となる恐れがある。又、記録・再生装置にミニディスクＭを挿入したときに、カートリッジＣからインデックスカードが剥がれて、記録・再生装置の機能を損なう恐れもある。そこで、一般的にインデックスカードは、ミニディスクＭが収納される収納ケースに付帯するようにしている。
【０００５】
上述したごとくインデックスカード（ラベル）を付帯する収納ケースは、たとえば特開平５−２７８７７２号、及び特開平９−２２６８７３号に開示されている。しかしながら、かかる従来技術の収納ケースにおいては、以下に述べるような問題がある。
【０００６】
まず、特開平５−２７８７７２号に開示された収納ケースはスリーブ状であるため、その内部の適切な位置にインデックスカードを配置することは困難である。従って、かかるスリーブ状の収納ケースにおいては、収納ケース表面にインデックスラベルを貼り付け、そこに曲名や情報を記載するようにしている。ところが、このように収納ケース表面にインデックスラベルを貼り付けると、同様に記載部分の擦れ、汚れが生じる恐れがある。加えて、このようなミニディスクの販売時には、インデックスカードやラベルは、収納ケースやミニディスク自体に未だ貼り付けられておらず、その接着面を覆った状態でコの字状に折り曲げられて、ミニディスクが収納された収納ケースの開口をふさぐようにしてセットされ、その上から包装フィルムでラッピングされることにより、収納ケースとの分離が防止されている。従って、かかるミニディスクを購入したユーザーが、包装フィルムを一旦破ってしまうと、インデックスカードやラベルは、収納ケースやミニディスクと分離してしまうので、そこに予め貼り付けておかない限り、その保管に不便であり、また紛失の恐れも大きいといえる。
【０００７】
一方、特開平９−２２６８７３号に開示された収納ケースは、収納ケース内部にインデックスカードを収納できるよう、蓋体を本体に対して回動可能に構成しているので、上述のような問題は生じない。しかしながら、かかる従来技術の構成は、ミニディスクを収納ケース内に収納した状態では蓋体が開かないようになっており、かかる状態ではインデックスカードを取り出すことができず、無理に取り出そうとすると収納ケースを破損する恐れがある。従って、インデックスカードを収納ケースから取り出すために、いちいちミニディスクを引き出さねばならず、取り扱いに不便である。
【０００８】
また、図１８（ａ）に示すカートリッジＣを図１８（ｂ）のように収納ケースＳにおいて出し入れする際にカートリッジＣが図の矢印方向に傾くと、シャッタ部材９０の側面部９１のシャッタ端部９２が収納ケースＳの内面と接触してしまうことがある。この場合、端部９２は機械加工による切断部分であるため、図１８（ｃ）のように、端部９２にばり９２ａが生じていると、収納ケースＳ内におけるシャッタ端部９２との接触面が削れて凹みｓ’ができでしまい、好ましくない。
【０００９】
本発明の目的は、かかる従来技術の問題点に鑑み、インデックスカードを取り出しやすくかつその保持が確実で、カートリッジの出し入れ等の取り扱いに優れたカートリッジ用収納ケース及びその製造方法を提供することである。また、カートリッジのシャッタ部材の収納ケース内面への接触による収納ケース内の削れの問題のないカートリッジ用収納ケースを提供することである。
【００１０】
【課題を解決するための手段】
上述の目的を達成すべく、本発明のカートリッジ用収納ケースは、本体と、前記本体に回転自在に支承され、開位置と閉位置との間を回動自在なカバー部材とを含み、前記カバー部材が前記閉位置に回動したときに、前記本体と前記カバー部材との間には外部よりカートリッジの挿入を許容する開口が形成されるようになっており、更に前記カバー部材は、前記開位置へと回動する際に、前記本体と前記カバー部材との間に挿入されたカートリッジを保持し、一体的に回動させるカートリッジ保持部を左右両側に形成しているカートリッジ用収納ケースであって、前記カバー部材が前記閉位置に回動したときに、前記カートリッジ保持部の下端が前記本体の内面に設けられた凹部に入り込むとともに、その上端が前記本体の内面よりも突出するように構成したことを特徴とする。
【００１１】
本発明のカートリッジ用収納ケースによれば、本体とカバー部材との間に挿入されたカートリッジは、カバー部材と一体的に回動するカートリッジ保持部により保持されているので、カバー部材を回動させることにより、収納ケース内に収納されたカートリッジも回動する。このため、例えばカートリッジと本体との間にインデックスカードが配置されていたとしても、カートリッジを抜き出すことなくインデックスカードの取り出しが可能となる。また、カバー部材が閉位置に回動したときに、カートリッジ保持部の下端が本体の内面の凹部に入り込みその上端が本体の内面よりも突出し、カートリッジ保持部の下端と本体の内面の凹部との間でインデックスカートを挟むことができるので、インデックスカードの保持が確実となる。また、カートリッジ保持部の上端が突出し本体の内面との間に隙間ができるので、インデックスカードがカートリッジと本体との間に配置されている場合、カートリッジを出し入れしてもカートリッジがインデックスカードと擦れてしまうことはなく、カートリッジの出し入れがし易くなり、取り扱いに優れたものとなる。
【００１２】
また、前記カートリッジ保持部の前記開口側の端部に、カートリッジを挿入し易くするカートリッジ導入部を形成することにより、カートリッジのカートリッジ保持部への導入が容易となる。
【００１３】
また、前記カートリッジ導入部が斜面状またはステップ状に形成され、これらの斜面部またはステップ部の前記開口側の前端は、前記カバー部材が前記閉位置に回動したときに前記本体の内面よりも低くなるように構成することにより、カートリッジの出し入れ時において引っかかり感がなくスムーズに出し入れを行うことができ、その取り扱いがし易くなる。特にカートリッジを入れる時に、カートリッジ保持部の前端部で引っかかるような抵抗を受けることがなく、良好である。
【００１４】
また、前記カートリッジを保持したときそのカートリッジの側面と対抗する前記カバー部材の面の隅部に前記カートリッジの位置決めを行う凸部を設けることにより、カートリッジ保持部にカートリッジが保持されたとき、カートリッジの側面とカートリッジ保持部の面との間に、その隅部に設けられた凸部により隙間が形成される。このため、例えばカートリッジが斜めに挿入された場合でもカートリッジの側面にある例えばシャッタの端部が、カートリッジ保持部の面と接触することはなく、この面における削れ等の不具合を未然に防止できる。
【００１５】
また、前記カバー部材が前記開位置と前記閉位置との間で回動する際に、前記本体が前記カバー部材と当接する突出部を前記本体に形成することにより、カバー部材の開閉時にカバー部材がこの突出部において本体と当接し、カバー部材の開閉が確実となり、カバー部材が回動して閉位置にきた時にカバー部材のがたつきを抑制できる。
【００１６】
また、前記カートリッジが挿入されたときそのカートリッジの側面に設けられた凹部に係合する凸部と、前記カートリッジ保持部とが、前記カバー部材の異なる位置に配置されることが好ましい。上述のカバー部材を金型により成形して製造する場合、この凸部とカートリッジ保持部とは金型構造上、アンダカット部となるため、金型において傾斜スライドやスライドコアが必要となる。カバー部材において凸部とカートリッジ保持部とが接近する構成であると、傾斜スライドやスライドコア等を用いた金型の強度が低下してしまうので、両者を異なる位置に配置することにより、金型の強度を向上させることができる。
【００２０】
【発明の実施の形態】
以下、本発明による実施の形態を、図面を参照して説明する。
図１及び２は、ミニディスクを収納可能な本実施の形態にかかる収納ケースを示す斜視図であり、図１はカバー部材を閉めた状態（すなわち、カバー部材が閉位置にある状態）を示し、図２はカバー部材を開けた状態（すなわち、カバー部材が開位置にある状態）を示す図である。
【００２１】
図１，２において、薄いボックス状の収納ケース１０は、カバー部材２０と、かかるカバー部材２０と別部品である本体３０とからなる。図１に示すように収納ケース１０は、カバー部材２０を閉めた状態でも、ミニディスクＭ（図１３，１２）を出し入れ可能な開口ＯＰを、その前面に形成している。尚、本体３０及びカバー部材２０は、ポリカーボネート、ポリスチレン、アクリル、ＡＳ樹脂など透明性を有する樹脂から形成されると好ましい。
【００２２】
図３はカバー部材２０のみを示す斜視図であり、図４は本体３０のみを示す斜視図であり、図５はカバー部材２０を裏返しにしてその下面を見た斜視図である。図４を参照して、まず本体３０から説明する。本体３０は、矩形状の底壁３１と、底壁３１の一辺に結合した左側側壁３２と、それに対向する一辺に結合した右側側壁３３と、更に底壁３１の一辺に結合し両側壁に直交する奥壁３４とから一体的に形成されている。底壁３１は、奥壁３４の結合する一辺に対向する辺（以下、開口側辺と称する）に矩形状の切欠部３１ａを形成している。更に底壁３１は、左側側壁３２と右側側壁３３の近傍において、薄く細長い形状のくぼみ３１ｂ、３１ｃをそれぞれ形成している。加えて、底壁３１は、奥壁３４近傍において、側壁３２，３３にそれぞれ平行に延在する保持部３１ｆ、３１ｇを形成している。また、左側側壁３２の内面側には図の上下方向にリブ部３２ｂが突出するように設けられている。また、右側側壁３３の内面側にも同様のリブ部（図示省略）が設けられている。カバー部材２０の開閉時にカバー部材２０がこれらのリブ部において本体３０と当接することにより、カバー部材２０の開閉が確実となり、カバー部材３０を閉じたときにカバー部材２０ががたつくことを防止する。なお、底壁３１の開口側辺近傍は、わずかに高くなって段部３１ｄを形成している。
【００２３】
側壁３２，３３は、開口側辺に近い端部に袋孔３２ａ、３３ａを形成している。奥壁３４の上縁には、棒状の支持部材３４ａがその略全幅にわたって形成されており、その両端には袋孔３４ｂ（一方の図示）が形成されている。また、支持部材３４ａの両端はテーパ状に面取りされた切り欠き部３４ｄ，３４ｅが形成されている。尚、支持部材３４ａは奥壁３４から開口側辺に向かって張り出した係止部３４ｃを有する。
【００２４】
次に、図３及び、特に図５を参照して、カバー部材２０について説明する。カバー部材２０は、矩形状の上壁２１と、上壁２１に結合した２つの側壁２２，２３とからなる。上壁２１は、本体３０（図４）の開口側辺に向かい合う辺（開口側辺）に矩形状の切欠部２１ａを形成している。
【００２５】
側壁２２，２３は、上壁２１の対向する二辺の近傍に結合しており、従って上壁２１は、側壁２２，２３より外方に延在する張り出し部２１ｃ、２１ｄを有している。段部となる張り出し部２１ｃ、２１ｄにおける、開口側辺と反対側の端部には、瘤状の支持部２１ｅ、２１ｆが形成されており、更に支持部２１ｅ、２１ｆには、互いに対向する短円筒状の軸部２１ｇ、２１ｈが形成されている。軸部２１ｇ、２１ｈの先端下面側はテーパー状となっている。なお、支持部２１ｅ、２１ｆは、付け根部２１ｉ、２１ｊにより上壁２１に連結され、付け根部２１ｉ，２１ｊには凹部２１ｋ、２１ｍが形成されている。
【００２６】
側壁２２，２３は、その下縁（図５では上縁）に互いに対向した細長状の保持部２２ａ、２３ａを形成している。更に側壁２２，２３は、開口側辺と反対側の端部に、片持ちアーム２２ｂ、２３ｂを結合している。アーム２２ｂ、２３ｂの先端には、隆起部２２ｃ、２３ｃが凸状に形成されている。また側壁２２、２３は、開口側辺に近い端部近傍において、互いに離隔する方向に突出した凸部２２ｄ（図５）、２３ｄ（図３）を形成している。
【００２７】
図６は、カバー部材２０を閉じた状態で示す収納ケース１０の上面図であり、図７（ａ）は、図６の収納ケース１０をＶＩＩＡ−ＶＩＩＡ線で切断して矢印方向に見た図であり、図８は、図６の収納ケース１０をＶＩＩＩ−ＶＩＩＩ線で切断して矢印方向に見た図であり、図９は、図６の収納ケース１０をＩＸ−ＩＸ線で切断して矢印方向に見た図であり、図７（ｂ）は、収納ケースの前端近傍における保持部の概略的な斜視図である。尚、図７，８においては本体３０の側壁３２周辺のみを示しているが、側壁３３側についても構成は同様である。
【００２８】
図７（ａ）に示すように、カバー部材２０を閉じた状態では、その側壁２２に形成された保持部２２ａは、本体３０のくぼみ３１ｂに当接するようになっている。又、収納ケース内に二点鎖線で示すように挿入されたミニディスクＭは、保持部２２ａと上壁２１との間に支持されるようになっている。細長の板状の保持部２２ａ（２３ａ）の上面がカートリッジを保持するカートリッジ保持部を構成し、保持部２２ａ（２３ａ）の下面がシート状部材（図１０，１１に示すインデックスカード）を保持する保持部を構成する。また、図７（ａ）に示すように、保持部２２ａ（２３ａ）の上面は、本体３０の底壁３１の内面３１ｅよりも突出している。また、側壁２２，２３の内側の図の下の隅部には第１の凸部２５ａ及び図の上の隅部には第２の凸部２５ｂがそれぞれ設けられており、ミニディスＭの収納ケース内における図の横方向の位置決めを行うとともに、ミニディスクＭの側面と側壁２２，２３の内側面との間に隙間ＳＰを形成する。
【００２９】
更に図８に示すように、ミニディスクＭが収納ケース内に挿入された場合、その凹部Ｃ２内に、凸部である隆起部２２ｃが進入するようになっている。図８に示す断面においては、カバー部材２０に保持部３１ｆが当接して互いの間を密閉している。その理由は、カバー部材２０に隆起部２２ｃを設けたため、保持部３１ｆをカバー部材２０に形成すると型が複雑となってコストが上昇するからである。尚、図７，８から明らかであるが、カバー部材２０の張り出し部２１ｃと本体３０との間には、断面が矩形状の溝Ｇが形成されるようになっている。
【００３０】
図９に示すように、ミニディスクＭが収納ケース内に挿入された場合、その内方端は本体３０の係止部３４ｃに当接し、それ以上内方に進入できないようになっている。また、図７（ｂ）に示すように、保持部２２ａ（２３ａ）の前端は、斜面２２ｅを有し、斜面２２ｅの先端の高さは、本体３０の内面３１ｅよりも低くなっている。
【００３１】
図１０は、本実施の形態にかかる収納ケース１０に使用可能なインデックスカードを示す斜視図であり、図１１はその変形例を示す斜視図である。図１０において、シート状部材であるインデックスカードＩＤは、１枚の矩形紙を折り曲げたものであり、細長い背表紙部ＩＤａと、広い記載部ＩＤｂとからなる。
【００３２】
図１に示すごとく本体３０とカバー部材２０とを組み立てる場合には、付け根部２１ｉ、２１ｊ（図５）を弾性変形させつつ、カバー部材２０の軸部２１ｇ、２１ｈ（図５）を本体３０の支持部材３４ａの両端の袋孔３４ｂ（図４）に嵌合させる。このようにすることにより、カバー部材２０は本体３０に対して、軸部２１ｇ、２１ｈ周りに回動自在となる。この組立に際し、軸部２１ｇ、２１ｈのテーパー状の先端と、支持部材３４ａの両端の切り欠き部３４ｄ，３４ｅとによって、本体３０にカバー部材２０を組み込み易くなる。
【００３３】
次に、収納ケース１０内にインデックスカードを収納する場合における、本実施の形態の動作について説明する。まず図２に示すように、本体３０に対してカバー部材２０を開いた位置へと回動させる。続いて、図１０に示すインデックスカードＩＤを、背表紙ＩＤａが本体３０の奥壁３４（図４）に対向するようにして挿入する。かかる状態から、カバー部材２０を図１に示す閉じた位置へと回動させれば、インデックスカードの収納が完了する。カバー部材２０が閉じた状態では、カバー部材２０の凸部２２ｄ（図５）、２３ｄ（図３）が、本体３０の袋孔３２ａ、３３ａに係合しており、カバー部材２０は本体３０に対して不用意に回動することはない。一方、かかるインデックスカードを取り出そうとする場合、この逆の操作をすればよい。尚、凸部２２ｄ、２３ｄ及び袋孔３２ａ、３３ａがカバー部材２０が回動して閉じられると更に本体３０に対し回動することを防止するロック部材を構成する。
【００３４】
以上の動作は、収納ケース１０にミニディスクＭが収納されているか否かに関わらず可能である。ミニディスクＭはカバー部材２０と共に回動するため、インデックスカードの出し入れを邪魔しないからである。尚、本体３０及びカバー部材２０は、透明性のある樹脂から形成されているので、インデックスカードＩＤの背表紙ＩＤａ及び記載部ＩＤｂに記載された文字を、ユーザーは収納ケース１０の外部から読みとることができる。
【００３５】
本実施の形態においては、インデックスカードＩＤを本体３０内に配置し、カバー部材２０を閉じることにより、図７に示すように、かかるインデックスカードＩＤは、その側縁がカバー部材２０の保持部２２ａにより本体３０のくぼみ３１ｂに押しつけられて固定される。従って、収納ケース１０内にミニディスクが収納されていない場合でも、インデックスカードＩＤはしっかり固定され、不用意に収納ケース１０から開口ＯＰ（図１）を介して落下することはない。尚、保持部２２ａによりくぼみ３１ｂに押しつけられた際、インデックスカードＩＤの側縁が若干折れ曲がるが、くぼみ３１ｂは浅いためインデックスカードＩＤが破れることはない。
【００３６】
若干でもインデックスカードが折れ曲がることを嫌う場合には、図１１に示すようなインデックスカードＩＤ’を用いればよい。図１１に示すインデックスカードＩＤ’は、図１０の示すものと類似しているが、記載部ＩＤｂの両側縁に矩形状の切欠ＩＤｃを形成している点が異なっている。切欠ＩＤｃは、本体３０のくぼみ３１ｂとほぼ同じ形状を有しているため、インデックスカードＩＤ’を本体３０内に配置し、カバー部材２０を閉じることにより、切欠ＩＤｃ内にカバー部材２０の保持部２２ａが入り込むようになっている。従って、カバー部材２０を閉じても、インデックスカードＩＤ’は折れ曲がることなく、保持部２２ａに切欠ＩＤｃが引っかかるようになるため、収納ケース１０内にミニディスクが収納されていない場合でも、不用意に収納ケース１０から開口ＯＰを介して落下することはない。この場合、図７（ａ）のように、保持部２２ａの上面が本体３０の内面３１ｅよりも突出しているので、インデックスカードＩＤ’の切欠ＩＤｃが保持部２２ａにより引っかかり易くなり、インデックスカードＩＤ’の保持が確実となり、好ましい。
【００３７】
次に、収納ケース１０内にミニディスクＭを収納する場合における、本実施の形態の動作について説明する。本実施の形態にかかる収納ケース１０においては、従来技術によるスリーブタイプと同様に、カバー部材２０を閉じた状態でミニディスクＭを出し入れ自在となっている。ミニディスクＭを収納ケースに挿入すると、保持部２２ａ（２３ａ）の先端部に図７（ｂ）のように斜面２２ｅがあるので、ミニディスクＭが収納ケース内にスムーズに導入され、しかも本体３０の内面３１ｅよりも低いため、引っかかり感がなく、取り扱い易く好ましい。また、上述したように、ミニディスクＭが収納ケース１０内に更に挿入された場合、その内方端は本体３０の係止部３４ｃ（図９）に当接し、それ以上内方に進入できないようになっている。ミニディスクＭを、その内方端が奥壁３４に当たるまで進入させるようにすると、かかる状態ではカバー部材２０が開かなくなる恐れがあり、また無理に開くことにより収納ケースを破損させる恐れがあるからである。
【００３８】
また、ミニディスクＭが収納ケースに挿入される場合、図７（ａ）の側壁２２の内側の第１の凸部２５ａに、ミニディスクＭの側面の上端隅部（図１８（ａ）の斜線で示す部分）が接するとともに、両凸部２５ａ、２５ｂによりミニディスクＭの側面と側壁２２，２３の内側面との間に隙間ＳＰが形成されるため、図１８（ｂ）のようにミニディスクＭが傾いたまま挿入されても、ミニディスクＭのシャッタ部材９０の端部９２がカバー部材２０の側壁２２に当接してこの側壁部が削られて凹み等ができてしまうことはない。なお、第２の凸部２５ｂは、第１の凸部２５ａとともにミニディスクＭを案内し、また側壁の強度を増す。
【００３９】
また、カバー部材２０を閉じた状態でミニディスクＭが収納ケース１０に挿入されるとき、予め内部に配置されたインデックスカードＩＤが収納ケース１０の進入を阻止しないように、本体３０の開口側に形成された段部３１ｄが、インデックスカードＩＤが配置される底壁３１からカード厚さ分だけ高くなっている。また、保持部２２ａ(２３ａ）の上面が本体３０の内面３１ｅよりも突出し、この間に形成される隙間にインデックスカードＩＤが位置することにより、ミニディスクＭを出し入れしてもインデックスカードＩＤと擦れてしまうことはなく、ミニディスクＭの出し入れがし易くなり、取り扱いのよいものとなる。
【００４０】
カバー部材２０を閉じた状態で、ミニディスクＭを収納ケース１０から取り出す場合には、ユーザーが、中央切欠２１ａ、３１ａから露出したミニディスクＭを把持して引き出すようにすればよい。
【００４１】
なお、カバー部材２０を開いた状態で、ミニディスクＭを、カバー部材２０の下面に沿って挿入することもできる。かかる場合、ミニディスクＭの内方端が係止部３４ｃ（図９）に当接し、かつその凹部Ｃ１，Ｃ２が、カバー部材２０の隆起部２２ｃ、２３ｃにそれぞれ係合し、ミニディスクＭがカバー部材２０に保持される。
【００４２】
本実施の形態においては更に、カバー部材２０を閉じた状態で、本体３０とカバー部材２０との間には、図７，８に示すように溝Ｇ（すなわち隙間）が形成されている。従って、この溝Ｇを用いることにより、たとえば特開平８−２９５３８５号に開示されているような、複数の収納ケースを収納する容器に、本実施の形態の収納ケース１０を収納することができる。
【００４３】
次に、上述のカバー部材２０を成形するための金型について図１４〜図１７を参照して説明する。図１４はカバー部材を内面側から見た平面図、図１５（ａ）は図１４のａ−ａ線方向で切断したカバー部材の保持部に対応する金型の断面図、図１５（ｂ）は図１５（ａ）の金型の離型時の動きを示す金型の断面図、図１６は図１４のｂ−ｂ線方向に切断したカバー部材のアームの隆起部（凸部）に対応する金型の断面図、図１７は図１４のｃ−ｃ線方向で切断したカバー部材の凸部に対応する金型の断面図である。
【００４４】
図１４に示すように、カバー部材２０の側壁２２，２３に設けられる凸部２２ｄ、２３ｄ、保持部２２ａ、２３ａ、及び隆起部（凸部）２２ｃ、２３ｃを有するアーム２２ｂ、２３ｂは、平面上互いに重なることなく、異なる位置に配置されている。
【００４５】
カバー部材２０の成形用金型５０は、カバー部材２０の保持部を成形するために、図１５（ａ）に示すように、固定側金型５１，可動側金型５２，及び可動側金型５２側に配置した傾斜スライド５３を用いている。この金型５０に形成されたキャビティＣＡには、カバー部材の保持部に対応した形状が形成される（キャビティＣＡの各部分をカバー部材２０に付した符号で示す。以下、同じ）。また、図１６に示すようにアーム２２ｂを成形するために、スライドコア５４を用いており、図１７に示すように凸部２３ｄを成形するために別のスライドコア５５を用いている。
【００４６】
成形後に金型を開くと、図１５（ｂ）に示すように傾斜スライド５３が図の矢印方向に前進し、成形品であるカバー部材２０を取り出すことのできる状態となるとともに、図１６に示すようにスライドコア５４が図の矢印方向にスライドしまた図１７に示すようにスライドコア５５が図の矢印方向にスライドする。このようにして、成形品（カバー部材２０）を取り出すことができる。この場合、傾斜スライド５３の前進方向と、各スライドコア５４，５５の各スライド方向は異なる。
【００４７】
カバー部材２０の側壁２２，２３に設けられる凸部２２ｄ、２３ｄ、保持部２２ａ、２３ａ、及び隆起部（凸部）２２ｃ、２３ｃは、金型の構造上、アンダカット部となるため、これらを含むカバー部材２０を成形する金型を構成する場合にはスライドコアや傾斜スライドを用いる必要があるが、凸部２２ｄ、２３ｄ、保持部２２ａ、２３ａ、及び隆起部（凸部）２２ｃ、２３ｃが接近していると、同一面内にスライドコアや傾斜スライドを配置する構造となってしまう。そうすると、傾斜スライドの案内部とスライドコアとが接近してしまい、可動側の金型の強度が低下し、金型寿命が短くなってしまう問題が生じてしまう。これに対し、本実施の形態では、図１４のように、凸部２２ｄ、２３ｄ、保持部２２ａ、２３ａ、及び隆起部（凸部）２２ｃ、２３ｃを離して重ならないように配置しているので、スライドコアと傾斜スライドとを用いて金型を構成でき、その強度の向上を達成し、金型寿命を向上させている。これにより、カバー部材の生産性を高めることができる。
【００４８】
以上、本発明を実施の形態を参照して説明してきたが、本発明は上記実施の形態に限定して解釈されるべきではなく、適宜変更・改良が可能であることはもちろんである。たとえば本発明は、ミニディスクに限らずＣＤや他のカートリッジを収納する収納ケースに適用可能である。
なお、カートリッジ用収納ケースは、本体と、前記本体に回転自在に支承され、開位置と閉位置との間を回動自在なカバー部材とを含み、前記カバー部材が前記閉位置に回動したときに、前記本体と前記カバー部材との間には外部よりカートリッジの挿入を許容する開口が形成されるようになっており、更に前記カバー部材は、前記開位置へと回動する際に、前記本体と前記カバー部材との間に挿入されたカートリッジを保持し、一体的に回動させるカートリッジ保持部を左右両側に形成しているカートリッジ用収納ケースであって、前記カートリッジが挿入されたときそのカートリッジの側面に設けられた凹部に係合する凸部と、前記カートリッジ保持部とが、前記カバー部材の異なる位置に配置されるように構成してもよい。この構成により、カバー部材を成形する金型の強度を向上させることができる。更に、前記カバー部材が前記本体に対し回動するよう係合する回動部を前記カバー部材において前記凸部及び前記カートリッジ保持部と異なる位置に配置することにより、カバー部材を成形する金型の強度を向上させることができる。
また、カートリッジ用収納ケースの製造方法は、カートリッジの側面の凹部に係合する凸部とカートリッジ保持部とが異なる位置に配置されたカバー部材の外面を固定側金型で成形し、その内面を可動側金型で成形するとともに、前記カートリッジ保持部を第１の金型部材により成形し、前記凸部を第１の金型部材とは異なる方向に可動である第２の金型部材により成形するようにしてもよい。これによれば、成形時に金型構造上アンダカット部となる凸部とカートリッジ保持部とを備えるカバー部材を、金型の強度を改善し金型の寿命を向上させながら、製造することができる。このため、カートリッジ用収納ケースの生産性を改善することができる。かかる第１及び第２の金型部材は、凸部及びカートリッジ保持部により構成されるアンダカット部を処理する構造を備えて構成することができる。
【００４９】
【発明の効果】
本発明によれば、インデックスカードを取り出しやすくかつその保持が確実でかつートリッジの出し入れ等の取り扱いに優れたカートリッジ用収納ケースを提供できる。また、カートリッジのシャッタ部材の収納ケース内面への接触による収納ケース内の削れの問題の生じないカートリッジ用収納ケースを提供することができる。
【図面の簡単な説明】
【図１】ミニディスクを収納可能な本実施の形態にかかる収納ケースを示す斜視図であり、カバー部材を閉めた状態を示す図である。
【図２】ミニディスクを収納可能な本実施の形態にかかる収納ケースを示す斜視図であり、カバー部材を開けた状態を示す図である。
【図３】カバー部材２０のみを示す斜視図である。
【図４】本体３０のみを示す斜視図である。
【図５】カバー部材２０を裏返しにしてその下面を見た斜視図である。
【図６】カバー部材２０を閉じた状態で示す収納ケース１０の上面図である。
【図７】図６の収納ケース１０をＶＩＩ−ＶＩＩ線で切断して矢印方向に見た図である。
【図８】図６の収納ケース１０をＶＩＩＩ−ＶＩＩＩ線で切断して矢印方向に見た図である。
【図９】図６の収納ケース１０をＩＸ−ＩＸ線で切断して矢印方向に見た図である。
【図１０】本実施の形態にかかる収納ケース１０に使用可能なインデックスカードを示す斜視図である。
【図１１】本実施の形態にかかる収納ケース１０に使用可能なインデックスカードの変形例を示す斜視図である。
【図１２】ミニディスクＭの一例の上面を示す図である。
【図１３】ミニディスクＭの一例の下面を示す図である。
【図１４】図３，図５に示すカバー部材を内面側から見た平面図である。
【図１５】図１４のａ−ａ線方向で切断したカバー部材の保持部に対応する金型の断面図（ａ）、及び図１５（ａ）の金型の離型時の動きを示す金型の断面図（ｂ）である。
【図１６】図１４のｂ−ｂ線方向に切断したカバー部材のアームの隆起部（凸部）に対応する金型の断面図である。
【図１７】図１４のｃ−ｃ線方向で切断したカバー部材の凸部に対応する金型の断面図である。
【図１８】ミニディスクＭの一例を示す斜視図（ａ）、従来の収納ケースにおける問題点を説明するための一部平面図（ｂ）、（ｃ）である。
【符号の説明】
１０              収納ケース
２０              カバー部材
２１ｇ、２１ｈ    軸部
２２ａ、２３ａ    保持部（カートリッジ保持部）
２２ｅ            斜面（カートリッジ導入部）
２２ｂ、２３ｂ    アーム
２２ｃ、２３ｃ    アームの隆起部（凸部）
２２ｄ、２３ｄ    凸部（回動部）
２５ａ            第１の凸部
２５ｂ            第２の凸部
３０              本体
３１ｂ            くぼみ（凹部）
３１ｅ            本体の内面
３２ｂ            リブ部（突出部）
３４ｂ            袋孔
５１              固定側金型
５２              可動側金型
５３              傾斜スライド（第１の金型部材）
５４，５５        スライドコア（第２の金型部材）
ＩＤ、ＩＤ’      インデックスカード
Ｍ                ミニディスク（カートリッジ）
Ｃ１，Ｃ２        ミニディスク側面の凹部
【図１】
0003666629.tif 000002
【図２】
0003666629.tif 000003
【図３】
0003666629.tif 000004
【図４】
0003666629.tif 000005
【図５】
0003666629.tif 000006
【図６】
0003666629.tif 000007
【図７】
0003666629.tif 000008
【図８】
0003666629.tif 000009
【図９】
0003666629.tif 000010
【図１０】
0003666629.tif 000011
【図１１】
0003666629.tif 000012
【図１２】
0003666629.tif 000013
【図１３】
0003666629.tif 000014
【図１４】
0003666629.tif 000015
【図１５】
0003666629.tif 000016
【図１６】
0003666629.tif 000017
【図１７】
0003666629.tif 000018
【図１８】
0003666629.tif 000019